(57)【要約】      （修正有）【課題】山間部等でわずかな水源でも、ダム等作る事なく発電できる動力を提供でき、また一般家庭等の水道水の圧力を利用して洗浄ブラシにも利用できる圧力モーターを提供する。【解決手段】流体注入口１５より圧力を持った流体を取り入れ、流体流出口１６より流出、再び流体流入口１９より取り入れて真円を描いた一葉双曲面に沿って螺旋状に作られた溝を伝わって回転式ベーンを押し込み中心軸を軸として回転させ、ドーナッツ状回転体と共に流体注入口１５、流体流出口２０を軸として回転させる。【選択図】図１
0003193245.tif 000002
【実用新案登録請求の範囲】
【請求項１】
真円を描いた一葉双曲面に沿って螺旋状に作られた溝を流体が回転式ベーンを押し込むことにより回転式ベーンが中心軸14を中心に回転しながらドーナッツ状回転体８と共に流体注入口15および流体流出口20を軸として回転する機構
【請求項２】
真円を描いた一葉双曲面に沿って螺旋状に作った溝10の両端に流体密閉用に真円を描いた一葉双曲面に沿った小さな溝を作り、溝に合ったたリング9、9’を取り付けて密閉効果を高める機構。
【請求項３】
図10に示すように密閉効果を高めるため左側外枠回転体11の溝13の幅を寸法Xより寸法Yの値を小さく加工する構造。
【請求項４】
図11に示すように密閉用押さえ板5を取り付けて流体流入隙間6を作り流入してきた流体の圧力により回転式ベーン側へ押され回転式ベーンの密閉効果を高める機構
【考案の詳細な説明】
【技術分野】
【０００１】
流体の圧力を回転運動に変える装置、またはポンプとしての装置である。
【図面の簡単な説明】
【０００２】
【図１】図の左側より流体を注入した場合を正面とした断面図
【図２】流体の圧力を受ける部分と、中心軸14を軸として回転する回転式ベーンの部品図
【図３】真円の一葉双曲面に沿って螺旋状の溝を作った固定中心部
【図４】固定中心部に回転式ベーンを組み合わせた正面配置図
【図５】回転式ベーンをドーナッツ状回転体の部品と組み合わせた斜視配置図
【図６】固定中心部とドーナッツ状回転体、回転式ベーンを組み合わせた流体注入口方向より見た斜視配置図
【図７】固定中心部とドーナッツ状回転体、回転式ベーンを組み合わせた流体流出口方向より見た斜視配置図
【図８】外枠の斜視断面図
【図９】密閉効果を高める為の、密閉用押さえ板斜視図
【図１０】外枠回転体と密閉用押さえ板を取り付けた配置図
【図１１】正面上部の透視図
【図１２】図1のA-Aの断面図
【図１３】図1のB-Bの断面図
【図１４】外枠に螺旋状の溝を作った場合の断面図
【図１５】外枠に螺旋状の溝を作った部品断面図
【図１６】外枠に螺旋状の溝を作った場合の円盤状内部回転体斜視部品図
【考案を実施するための形態】
【０００３】
真円を描いた一葉双曲面に沿って螺旋状に作られた溝を流体が回転式ベーンを押し込むことにより回転式ベーンが中心軸１４を軸として回転しながら、ドーナッツ状回転体を流体注入口15及び流体流出口20を軸として回転運動を起こし、往復運動することなく連続的に流体の圧力を回転運動に変換できる。
【実施例】
【０００４】
図2において回転式ベーン1 には摩擦抵抗を減らす為と密閉効果を上げる為パッキン2、3を取りつけ、またパッキン3は回転できるものとする、また回転式ベーン1 には図2に示す位置に流体の密閉の為のOリング4、またはパッキンを両側へ取り付ける。
図3に示すように真円を描いた一葉双曲面に沿って螺旋状に作られた溝10の両端に流体密閉用に真円を描いた一葉双曲面に沿って螺旋状に小さな溝を作りそれに合ったリング9、9’を取り付ける、またリング9、9’は出口側片方を固定するものである。
図5に示すようにドーナッツ状回転体8に回転式ベーン1 を4ヶまたは複数取り付けて図2の中心軸14を中心に回転できるものとする。
固定中心部7とドーナッツ状回転体8を図６、図7のように配置する。
図8に示すように左側外枠回転体11、右側外枠回転体12には回転式ベーン1が回転できるようにベーン回転用溝13をつくり、
またこの溝は図10に示すように密閉効果を高める為、左側外枠回転体11の溝13の幅を寸法Xより寸法Yの値を小さく加工する、
そして図9に示す密閉用押さえ板5には密閉の為、液体シール剤を塗布し図10のベーン回転用溝13に4箇所、図11の透視図に示すような形で取り付ける、
またこの密閉用押さえ板5は流体流入隙間6を作り、流入してきた流体の圧力により回転式ベーン側へ押され、回転式ベーン1 との密閉効果を高める、さらに図９に示す寸法Xより寸法Yの値を小さく作ること。
またドーナッツ状回転体8と左側外枠回転体11と右側外枠回転体12とは一体化させ同時に回転するものとする。
流体の流れとして図1、図6に示す流体注入口15から入った流体は流体流出口16を通り図6.図12の流体流入口17から入り回転式ベーン1 を押し込み、みずからも回転しながらドーナッツ状回転体8を回転させに図7、図13に示す流体流出口18より流出、そして図1、図7に示す流体流入口19に入り、流体流出口20にて排出される、そのとき回転式ベーンと一緒にドーナッツ状回転体8、左側外枠回転体11、右側外枠回転体12、も同時に回転し図1に示す右外枠回転体12と連結している回転出力軸21を回転させ出力軸とする。
【符号の説明】
【０００５】
1a、ｂ、ｃ、ｄ・・・ 回転式ベーン
2、3・・・・・・・・パッキン
４・・・・・・・・・・Oリングまたはパッキン
5・・・・・・・・・・密閉用押さえ板
６・・・・・・・・・・流体流入隙間
７・・・・・・・・・・固定中心部
８・・・・・・・・・・ドーナッツ状回転体
９、９’・・・・・・・ 密閉用リング
１０・・・・・・・・・螺旋状溝
１１・・・・・・・・・左側外枠回転体
１２・・・・・・・・・右側外枠回転体
１３・・・・・・・・・ベーン回転用溝
１４・・・・・・・・. 中心軸  
1５・・・・・・・・・流体注入口
１６・・・・・・・・・流体流出口
１７・・・・・・・・・流体流入口
18・・・・・・・・・流体流出口
１９・・・・・・・・・流体流入口
２０・・・・・・・・・流体流出口
２１・・・・・・・・・回転出力軸
２２・・・・・・・・・左右外枠固定用穴
２３、２３’・・・・・ベアリング
２４、２４’・・・・密閉用シール
２５・・・・・・・・ 内部回転型外枠
２６・・・・・・・・ 内部回転型回転体
X  ・・・・・・・寸法
Y  ・・・・・・・寸法
【図１】
0003193245.tif 000003
【図２】
0003193245.tif 000004
【図３】
0003193245.tif 000005
【図４】
0003193245.tif 000006
【図５】
0003193245.tif 000007
【図６】
0003193245.tif 000008
【図７】
0003193245.tif 000009
【図８】
0003193245.tif 000010
【図９】
0003193245.tif 000011
【図１０】
0003193245.tif 000012
【図１１】
0003193245.tif 000013
【図１２】
0003193245.tif 000014
【図１３】
0003193245.tif 000015
【図１４】
0003193245.tif 000016
【図１５】
0003193245.tif 000017
【図１６】
0003193245.tif 000018
【手続補正書】
【提出日】平成26年7月12日(2014.7.12)
【手続補正１】
【補正対象書類名】図面
【補正対象項目名】図１０
【補正方法】変更
【補正の内容】
【図１０】
0003193245.tif 000019
【手続補正書】
【提出日】平成26年7月28日(2014.7.28)
【手続補正１】
【補正対象書類名】実用新案登録請求の範囲
【補正対象項目名】全文
【補正方法】変更
【補正の内容】
【実用新案登録請求の範囲】
【請求項１】
真円を描いた一葉双曲面に沿って螺旋状に作られた溝を流体が複数個の羽根部材で作られた「回転式ベーン（1）」を前記螺旋状に作られた溝に沿って押し込むことにより前記回転式ベーンが「中心軸（１４）」を中心に回転しながら前記回転式ベーンを１個ないし複数個取り付けられた「ドーナッツ状回転体（８）」と共に前記ドーナッツ状回転体に対し垂直になるように取り付けられた「流体注入口（１５）」および「流体流出口（２０）」を軸として回転することを特徴とする圧力モーター。
【請求項２】
前記螺旋状に作られた溝の両側に溝に沿って前記螺旋状に作られた溝より小さな溝を作り、その溝に整合するように作った密閉用部材「密閉用リング（9、9’）」を取り付け、またその密閉用部材は各螺旋状部分の半径を溝の半径より大きく作り前記ドーナッツ状回転体を取り付けた状態で前記螺旋状に作られた溝の両側に作った小さな溝に整合することを特徴とする請求項１記載の圧力モーター。
【請求項３】
「ベーン回転用溝（13）」は流体が前記ベーン回転用溝と前記回転式ベーンとの側面の隙間を通って直接出口側へ流れ込まないよう溝の側面の間隔を、前記回転式ベーンの回転入り口側より回転出口側を狭くすることを特徴とする請求項1記載の圧力モーター。
【請求項４】
前記ベーン回転用溝の溝底面と前記回転式ベーンの外周面との隙間を通って流体が出口側へ流れ込まないように前記ベーン回転用溝の溝低面と前記回転式ベーンの外周面との間に「密閉用押さえ板（5）」を取り付け、そして流体の圧力を利用して前記密閉用押さえ板が前記回転式ベーンの外周面に押さえ込まれて隙間をなくす事を特徴とする請求項１記載の圧力モーター。